(57)【要約】      （修正有）【課題】蓋開口状態、蓋取付状態のどちらでも利用することのできる可動蓋付バッグを提供する。【解決手段】上面が開口したバッグ１の内壁に、バッグ１への収納状態と開口部を覆い状態となるように可動蓋の蓋体２を設けて構成される。蓋体２はバッグ１内収納状態と開口部覆い状態となるように縦ベルトと横ベルト１１によりスライドするものであり、縦ベルトと横ベルト１１は蓋体１移動時の左右方向への傾きを制限する位置に設ける。【選択図】図１
2007296275.tif 000002
【特許請求の範囲】
【請求項１】
上面が開口したバッグ本体と、該バッグ本体の長手方向の一方の内壁に縦方向に設けられた少なくとも１対の縦ベルトと、折り部を介して天蓋部の上下部に着脱片、取付片をそれぞれ構成する蓋体と、前記取付片背面に設けられ前記各縦ベルトにそれぞれスライド移動可能となるように交差状に取り付けられる横ベルトと、前記蓋体を前記バッグ本体開口部を覆った状態でバッグ本体と蓋体を着脱可能に固定する着脱機構とよりなり、前記蓋体はバッグ内収納状態と開口部覆い状態となるように前記縦ベルトと横ベルトによりスライドするものであり、前記縦ベルトと横ベルトは蓋体移動時の左右方向への傾きを制限する位置に設けられたものであることを特徴とする可動蓋付バッグ。
【請求項２】
蓋体を収納する蓋収納部をバッグ内壁に備えたことを特徴とする請求項１記載の可動蓋付バッグ。
【請求項３】
蓋体を蓋状に閉じた状態でバッグ本体と蓋体の開放部から操作可能となるバッグ内壁位置にスライド機構を介して設けられ前面に定期券、カード、薄手メモ帳等の薄手収納対象物を収納する収納部を設けた可動体収納部を具備し、前記可動体収納部は蓋を閉じた状態でバッグ内から引き出すことができるものであることを特徴とする請求項１又は２記載の可動蓋付バッグ。
【発明の詳細な説明】
【技術分野】
【０００１】  本発明は、蓋開口状態、蓋取付状態のどちらでも利用することのできる可動蓋付バッグに関するものである。
【背景技術】
【０００２】  従来、バッグとしてトートバッグなどのように蓋がなく上面が開口したものがあった。
バッグに蓋がついたものとしては、バッグ開口部の一上辺に延設される状態で蓋がついていて、対向する側面の上部外側で開閉するものがあった。また、天蓋にファスナーがついており、開閉するものがあった。
【発明の開示】
【発明が解決しようとする課題】
【０００３】  そのために、次のような問題があった。
蓋がないものにあっては、容易に手をバッグ内に入れることができるとともに、バッグからはみ出す収納物も違和感なく収納することはできるが、その特徴から第三者によるスリなどの窃盗にあう危険性があった。
また、埃がはいりやすいとともに、雨天時などは雨が開口部から侵入して収納物を汚す危険性があった。なによりも、収納物が第三者から見えるため、時には羞恥意識を受けることがあった。
バッグ開口部の一上辺に延設される状態で蓋が設けられたものにあっては、蓋が外側に垂れて邪魔になったり、腰が強いものにあっては蓋が戻ってしまい、片手で収納物の出し入れをすることができなかった。
また、バッグの大きさを超える大きさの収納物を入れる場合には、蓋の跳ね返りで収納物が変形する危険性があるほか、出し入れが非常に困難であった。
天蓋にファスナーがついており、開閉するものにあってはファスナーは開いても、マチ部分が邪魔となり、前記各バッグほどの開口部を得られることができず、ひっかかりがあるために出し入れが非常に困難であった。
あわせて、前記蓋と同様の問題が生じていた。
本発明は以上の欠点を解決するものである。
【課題を解決するための手段】
【０００４】上面が開口したバッグ本体と、該バッグ本体の長手方向の一方の内壁に縦方向に設けられた少なくとも１対の縦ベルトと、折り部を介して天蓋部の上下部に着脱片、取付片をそれぞれ構成する蓋体と、前記取付片背面に設けられ前記各縦ベルトにそれぞれスライド移動可能となるように交差状に取り付けられる横ベルトと、前記蓋体を前記バッグ本体開口部を覆った状態でバッグ本体と蓋体を着脱可能に固定する着脱機構とよりなり、前記蓋体はバッグ内収納状態と開口部覆い状態となるように前記縦ベルトと横ベルトによりスライドするものであり、前記縦ベルトと横ベルトは蓋体移動時の左右方向への傾きを制限する位置に設けられたものであることを特徴とする。【０００５】蓋体を収納する蓋収納部をバッグ内壁に備えたことを特徴とする。【０００６】  蓋体を蓋状に閉じた状態でバッグ本体と蓋体の開放部から操作可能となるバッグ内壁位置にスライド機構を介して設けられ前面に定期券、カード、薄手メモ帳等の薄手収納対象物を収納する収納部を設けた可動体収納部を具備し、前記可動体収納部は蓋を閉じた状態でバッグ内から引き出すことができるものであることを特徴とする。
【発明の効果】
【０００７】  本発明を使用することで、バッグを開口状態、蓋付状態のどちらでも利用することができるため、収納物の出し入れの際には蓋をバッグ内に収納した状態で操作することにより容易に収納物の出し入れをすることができる。
また、大きさ形状に合わせて蓋をしたり、バッグに収納することができるという、収納物にあわせた使用をすることができる。あわせて、蓋をすることで雨天時の被水防止や移動時の窃盗防止を図ることができるとともに、出し入れ時には蓋が収納されているので、蓋が戻ってきたり邪魔することがないという利便性を得ることができる。【０００８】  蓋体を収納する蓋収納部をバッグ内壁に備えることにより、収納空間とバッグに収納された蓋の間を隔てることにより、収納物を出し入れする際に、バッグ内に収納された蓋が引っかかり出し入れ時に支障をきたす現象を解消し、より容易に収納物の出し入れができる。【０００９】  蓋体を蓋状に閉じた状態でバッグ本体と蓋体の開放部から操作可能となるバッグ内壁位置にスライド機構を介して設けられ前面に定期券、カード、薄手メモ帳等の薄手収納対象物を収納する収納部を設けた可動体収納部を具備したことにより、蓋をした状態で容易にカード類の出し入れができるので、蓋をした状態でバッグ内のカード類を容易に取り出すことができる。
また、この可動体収納部を収納部内に設けることにより、外観のデザインを損なうことがなく、収納効率を維持したままより自由度の高いデザインをバッグに反映させることができる。
【発明を実施するための最良の形態】
【００１０】  以下、本発明の実施の形態について図１乃至図１０を用いて説明する。
図１は本発明の構成説明図、図２は本発明の蓋体斜視図、図３は本発明のバッグを断面状態とした分解斜視図、図４は本発明のバッグを断面状態とした使用説明図、図５は本発明の正面使用説明図、図６は本発明の使用説明図、図７は本発明の斜視図、図８は本発明のバッグを断面状態とした分解斜視図、図９は本発明の使用状態を示すバッグの断面図、図１０は本発明の使用状態図である。
本発明は、図１に示すようにバッグ１と、蓋体２と、可動収納体３から構成される。
バッグ１は、トートバッグをはじめとする、上面が開口した構造のものである。
蓋体２は、図２に示すように方形状のベース体の上辺中央部に、折りたたまれるように設けられた着脱片１０が設けられている。着脱片１０の背面には、中央に窪みのついた磁石９ａが設けられている。
ベース体は天蓋芯材７を上部に配置し、取付片芯材８を下部に配置した状態ではさんで表皮材で覆い縫合したものである。これにより、天蓋芯材位置が天蓋部４となり、取付片芯材位置が取付部５となっている。また、天蓋部４と取付部５の間は自由に折り曲がる折込部６が形成されている。
取付部５の背面には、３つの横ベルト１１が設けられている。この横ベルト１１は一端部がベース体に縫合された固定部１２となっている。横ベルト１１の多端部は開放状態となっており、裏面に面ファスナー１４ｂが設けられている。ベース体には、横ベルト１１の開放端を伸ばした位置に受部材１３が設けられており、その表面に前記面ファスナー１４ｂに着脱する面ファスナー１４ａが設けられている。
また、図３に示すように天蓋部４の上部中央には、下方が開放するようにつまみ片１６が設けられている。
可動収納体３は、縦長のベース体２１の表面に上下に複数のポケット部２２が設けられたものである。このベース体２１とポケット部２２は、定期券やカード等の薄手収納対象物をフィットした状態となるような大きさ形状となっている。
ベース体２１の上部には指をかけることができるループ状のつまみ部２３が設けられている。
このベース体２１の裏面は、前記蓋体２と同様な横ベルト構造となっている。
バッグ１の一方の内壁には、図３に示すように３つの縦ベルト１７が平行に設けられている。縦ベルト１７の上下端部は縫合や接着などによりバッグ１に固定された固定部となっており、これにより縦ベルト１７が伸びた状態でバッグ内壁にピッタリした状態となっている。この際、各縦ベルト１７は前記蓋体２の横ベルト１１を縦ベルト１７とバッグ内壁の間に通した状態で取り付けられる横間隔となっている。
また、縦ベルト１７の前面には、全ての縦ベルト１７を覆うとともに、これに装着された蓋体２を収納可能に覆う位置に蓋収納部材１５がポケット状に設けられている。この蓋首脳部材１５の大きさ及び位置は、図４ａに示すように蓋体２を収納した状態で着脱片１０が露出した状態となる。
バッグ１の対向する内壁には、図８に示すように同様に上下固定部によりバッグ１に固定された可動体縦ベルト２４が設けられている。この可動体縦ベルト２４は内壁の左右どちらかにずれた位置にあることが望ましい。
また、可動体縦ベルト２４の前面には、可動体縦ベルト２４を覆うとともに、装着した可動収納体３を収納可能に覆う位置に可動体収納部１８が設けられている。この可動体収納部１８の大きさ及び位置は、可動体収納体３を収納した状態でつまみ部２３が露出した状態となる。
バッグ１の可動体縦ベルトが取り付けられた内壁の中央上部には、前記蓋体２の磁石９ｂに着脱するための形状と磁性の磁石９ａが設けられている。
本発明は以上の構成よりなる。
以下、使用方法について説明する。
バッグ１の各縦ベルト１７に蓋体２の横ベルト１１を通した状態で、蓋収納部材１５内に収納される状態で蓋体２を装着する。
同様に、バッグ１の可動体縦ベルト２４に可動体収納体３可動体横ベルト１９を通した状態で、可動体収納部１８内に収納される状態で可動体収納体３を装着する。
収納物を出し入れする際は、蓋体２を蓋収納部材１５内に収納する。これにより、蓋体２の跳ね返りなどにより支障を解消することができる。また、バッグの大きさ以上の大きさの収納物をいれる場合も同様の状態とすることで、違和感なく収納、形態することができる。
次に、蓋をかける場合は図４ｂに示すように蓋体２を持ち上げる。この際、蓋体２は縦ベルト１７と横ベルト１１のスライド機構により上下に移動するが、少なくとも左右の縦ベルト１７と横ベルト１１の取付位置が若干の左右への傾きはあるにしても、蓋収納部材１５への収納や引き出しができるように制限する位置関係となっているため蓋体２は容易に出し入れが可能となる。あわせて、縦ベルト１７と横ベルト１１は図４ｂ及び図５に示すように折込部６が露出する位置まで持ち上げることができる。
その位置まで持ち上げた状態で図６ｂに示すように折込部６で天板部５を横方向に折り曲げる。更に、着脱片１０を図６ｃに示すように下方に折り曲げ、着脱片１０の磁石９ａが対向するバッグ内壁に設けられた磁石９ｂに磁着させ蓋体２を固定する。
この蓋体２を蓋として覆った状態で開けようとするときは、つまみ片１６をつまみ開閉操作をおこなう。
また、蓋体２を収納するときはつまみ片１６を操作して蓋体を外し、それ以降蓋体２を蓋収納材１５内へ収納する。
可動収納体３のポケット部２２には定期券や交通カード、バンクカードなどを収納して、可動体収納部１８に収納した状態としておく。そして、蓋体２の開口状態にあっては、図９に示すようにつまみ部２３を持ち可動収納体３を引き上げ、カード類の収納物を取り出す。
また、蓋体２を閉じた状態にあっても、可動収納体３が着脱片１０の位置から左右にずれているとともに、蓋体２とバッグ１との間で蓋体２はバッグ内を覆ってはいるが、操作によるねじれなどで蓋体２の下方位置にある可動収納体１０のつまみ部を操作することが可能となり、蓋体２を閉じた状態で可動収納体３を引き上げカード類などを取り出すことが可能となる。【００１１】  上記事例において、バッグ１と蓋体２の開閉着脱機構として磁石を利用したが、現状知られる着脱機構を利用することも可能である。
着脱位置に関しても、蓋体２の幅に対して、中央部の一部で着脱しているが、蓋体全幅でもよく、これに限定されるものではない。
蓋体２の幅に関しても、図に示す事例においては左右に若干の隙間を形成するものとなっているが、開口部全体を覆う幅のものであってもよい。
蓋収納部材１５、可動体収納部１８に関しても、取り付けられていることが好ましいが、それぞれ存在しなくても、最低限の効果を得ることはできる。
縦ベルトと横ベルトに関して、上記事例と逆の条件によるものであってもかまわず、とり外しに関する一方のベルトの着脱機構に関しても、どちらに設けたものであってもよい。また、両方を固定式にして取り付けたものであってもよい。
以上に、実施の形態を述べたが、本発明は上記事例に限定されるものではなく、その機構概念において利用できるものであればよい。
【図面の簡単な説明】
【００１２】
【図１】  本発明の構成説明図
【図２】  本発明の蓋体斜視図
【図３】  本発明のバッグを断面状態とした分解斜視図
【図４】  本発明のバッグを断面状態とした使用説明図
【図５】  本発明の正面使用説明図
【図６】  本発明の使用説明図
【図７】  本発明の斜視図
【図８】  本発明のバッグを断面状態とした分解斜視図
【図９】  本発明の使用状態を示すバッグの断面図
【図１０】  本発明の使用状態図
【符号の説明】
【００１３】  １  バッグ、
２  蓋体、
３  可動収納体、
４  天蓋部、
５  取付部、
６  折込部、
７  天蓋芯材、
８  取付片芯材、
９ａ，９ｂ  磁石、
１０  着脱片、
１１  横ベルト、
１２  固定部、
１３  受部材、
１４ａ，１４ｂ  面ファスナー、
１５  蓋収納部材、
１６  つまみ片、
１７  縦ベルト、
１８  可動体収納部、
１９  可動体横ベルト、
２０  取手、
２１  ベース体、
２２  ポケット部、
２３  つまみ部、
２４  可動体縦ベルト
【図１】
2007296275.tif 000003
【図２】
2007296275.tif 000004
【図３】
2007296275.tif 000005
【図４】
2007296275.tif 000006
【図５】
2007296275.tif 000007
【図６】
2007296275.tif 000008
【図７】
2007296275.tif 000009
【図８】
2007296275.tif 000010
【図９】
2007296275.tif 000011
【図１０】
2007296275.tif 000012
【手続補正書】
【提出日】平成19年3月29日(2007.3.29)
【手続補正１】
【補正対象書類名】特許請求の範囲
【補正対象項目名】請求項１
【補正方法】変更
【補正の内容】
【請求項１】
上面が開口したバッグ本体と、該バッグ本体の長手方向の一方の内壁に縦方向に設けられた少なくとも１対の縦ベルトと、天蓋芯材を有する天蓋部の上下部に折り部を介して着脱片、取付片をそれぞれ構成する蓋体と、前記取付片背面に設けられ前記各縦ベルトにそれぞれスライド移動可能となるように交差状に取り付けられる横ベルトと、前記蓋体を前記バッグ本体開口部を覆った状態でバッグ本体と蓋体を着脱可能に固定する着脱機構とよりなり、前記蓋体はバッグ内収納状態と開口部覆い状態となるように前記縦ベルトと横ベルトによりスライドするものであり、前記縦ベルトと横ベルトは蓋体移動時の左右方向への傾きを制限する位置に設けられたものであることを特徴とする可動蓋付バッグ。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
上面が開口したバッグ本体と、このバッグ本体の長手方向の一方の内壁に縦方向に設けられた少なくとも1対の縦ベルト１７と、前記バッグ本体の上面開口内に位置して上面開口を覆うことができる天蓋芯材７を有する天蓋部４、この天蓋部４の下部に自由に折り曲がる折込部６を介して設けられた取付部５および前記天蓋部４の上辺中央部に折りたたまれるように設けられた着脱片１０とからなる蓋体２と、この蓋体２の取付部５の背面に取付けられた前記少なくとも1対の縦ベルト１７にそれぞれスライド移動可能でかつ移動時の左右方向への傾きを制限する位置に交差状に配置された横ベルト１１と、前記蓋体２の天蓋部４で前記バッグ本体の開口部を覆った状態でバッグ本体と蓋体２の天蓋部４の着脱片１０を用いて着脱可能に固定する着脱機構とからなることを特徴とする可動蓋付バッグ。